(57)【要約】      （修正有）【課題】安定的に移動することができるモータ駆動の受動型伸張回復トレーニングマシーンを提供する。【解決手段】モータ駆動の受動型伸張回復トレーニングマシーンは、ベース１０、駆動部材２０及び保護カバー３０を備える。ベース１０は、互いに平行に鋸歯状凹凸部が両端に設けられ、２つの長端に第１のタッチスイッチ１３及び第２のタッチスイッチ１４がそれぞれ設けられた上面１２と、滑り止め部１７が設けられた底面１６とを有する。駆動部材２０は、内部に設けられたモータ２１により両端部に向かって延伸された回転軸２２が凸設され、回転軸２２には連動歯車２３が外嵌されている。駆動部材２０の両端は、延伸されて把手部２４が凸設された回転軸２２を有する。把手部２４には、モータ２１の電源を制御する制御スイッチ２６が設けられ、連動歯車２３は鋸歯状凹凸部１１と噛み合わされる。【選択図】図２
0003160795.tif 000002
【実用新案登録請求の範囲】
【請求項１】
ベース、駆動部材及び保護カバーを備えるモータ駆動の受動型伸張回復トレーニングマシーンであって、
前記ベースは、互いに平行に鋸歯状凹凸部が両端に設けられ、２つの長端に第１のタッチスイッチ及び第２のタッチスイッチがそれぞれ設けられた上面と、滑り止め部が設けられた底面と、を有し、
前記駆動部材は、内部に設けられたモータにより両端部に向かって延伸された回転軸が凸設され、前記回転軸には連動歯車が外嵌され、前記駆動部材の両端は、延伸されて把手部が凸設された前記回転軸を有し、前記把手部には、前記モータの電源を制御する制御スイッチが設けられ、前記連動歯車は前記鋸歯状凹凸部と噛み合わされ、
前記保護カバーは、スライド口を有し、前記ベースの上方を覆い、前記スライド口の外端から前記把手部が露出され、前記把手部は、前記駆動部材により駆動され、前記連動歯車が前記鋸歯状凹凸部と噛み合わされて平行移動し、前記駆動部材が前記第１のタッチスイッチ又は前記第２のタッチスイッチに触れると、前記モータの回転方向が変わることを特徴とするモータ駆動の受動型伸張回復トレーニングマシーン。
【請求項２】
前記滑り止め部は、滑り止め効果を備えるパッドであり、前記ベースの周囲に環設されていることを特徴とする請求項１に記載のモータ駆動の受動型伸張回復トレーニングマシーン。
【請求項３】
前記滑り止め部は、滑り止め効果を備えるパッドであり、前記ベースの底面を覆うように平面状に形成されていることを特徴とする請求項１に記載のモータ駆動の受動型伸張回復トレーニングマシーン。
【請求項４】
前記第１のタッチスイッチと前記第２のタッチスイッチとの間に接続され、前記第１のタッチスイッチ及び前記第２のタッチスイッチの切換信号を受信し、前記モータを正転又は逆転させる制御装置をさらに備えることを特徴とする請求項１に記載のモータ駆動の受動型伸張回復トレーニングマシーン。
【請求項５】
前記駆動部材の両側部と、前記連動歯車及び前記把手部との間には凸部が設けられていることを特徴とする請求項１に記載のモータ駆動の受動型伸張回復トレーニングマシーン。
【考案の詳細な説明】
【技術分野】
【０００１】
本考案は、トレーニングマシーンに関するものであり、さらに詳しくは、連動歯車と鋸歯状凹凸部とを噛み合せて移動させ、両端に設けた第１のタッチスイッチ及び第２のタッチスイッチにより往復動作を発生させ、伸張動作を補助することによりトレーニング効果を得るモータ駆動の受動型伸張回復トレーニングマシーンに関する。
【背景技術】
【０００２】
図８に示すように、従来の伸張型トレーニングマシーンは、台座４０、駆動装置５０、カバー６０及び把手部７０を主に含む。台座４０は、底部の四隅に設けられた収納孔４１を有する。収納孔４１には、ローラセット４２が枢着され、台座４０の板面には、２つのアイドルギヤ４３が設けられている。駆動装置５０は、モータ５１及びベルト５２を含む。モータ５１は、２つのアイドルギヤ４３の間に設けられ、出力端に設けられた歯車５１１を有する。ベルト５２は、ローラセット４２に巻き付けられてある。カバー６０は、台座４０の上方を覆い、カバー６０の上端に把手部７０が設けられてある。続いて、図９に示すように、ユーザが跪いて前屈みの姿勢で把手部７０を両手で握り、モータ５１の歯車５１１によりベルト５２を回転させる。ローラセット４２がベルト５２により駆動されると、地面でローラセット４２が転動する。
しかし、かかるトレーニングマシーンは、長期間使用したりユーザの体重が重すぎる場合、モータ５１の端部及びローラセット４２の端部でベルト５２が滑動し、身体を安定させながら伸ばすことができなくなったり、ローラセット４２が地面に直接接触して地面上を転がって滑り、トレーニング効果が下がるという問題点があった。
【考案の開示】
【考案が解決しようとする課題】
【０００３】
本考案の主な目的は、把手部が駆動部材のモータにより駆動され、連動歯車と鋸歯状凹凸部の歯部とを噛み合せて移動させると、精確に移動し、大きな圧力を受けることができる。保護カバーは、ベースを覆い、スライド口により駆動部材の移動方向を拘束することにより、駆動部材が側方で移動することを防ぎ、安定的に移動することができるモータ駆動の受動型伸張回復トレーニングマシーンを提供することにある。
【０００４】
本考案のもう一つの目的は、ベースが滑り止め部を介して地面に接触されているため、滑り止め効果を得て、伸張動作をベースの上端で行うため、地面で転がって滑ることを防ぎ、トレーニング動作の距離を制御するモータ駆動の受動型伸張回復トレーニングマシーンを提供することにある。
【課題を解決するための手段】
【０００５】
前記課題を解決するために、本考案の第１の形態によれば、ベース、駆動部材及び保護カバーを備えるモータ駆動の受動型伸張回復トレーニングマシーンであって、前記ベースは、互いに平行に鋸歯状凹凸部が両端に設けられ、２つの長端に第１のタッチスイッチ及び第２のタッチスイッチがそれぞれ設けられた上面と、滑り止め部が設けられた底面と、を有し、前記駆動部材は、内部に設けられたモータにより両端部に向かって延伸された回転軸が凸設され、前記回転軸には連動歯車が外嵌され、前記駆動部材の両端は、延伸されて把手部が凸設された前記回転軸を有し、前記把手部には、前記モータの電源を制御する制御スイッチが設けられ、前記連動歯車は前記鋸歯状凹凸部と噛み合わされ、前記保護カバーは、スライド口を有し、前記ベースの上方を覆い、前記スライド口の外端から前記把手部が露出され、前記把手部は、前記駆動部材により駆動され、前記連動歯車が前記鋸歯状凹凸部と噛み合わされて平行移動し、前記駆動部材が前記第１のタッチスイッチ又は前記第２のタッチスイッチに触れると、前記モータの回転方向が変わることを特徴とするモータ駆動の受動型伸張回復トレーニングマシーンが提供される。
【０００６】
第１の形態において、前記滑り止め部は、滑り止め効果を備えるパッドであり、前記ベースの周囲に環設されていることが好ましい。
【０００７】
第１の形態において、前記滑り止め部は、滑り止め効果を備えるパッドであり、前記ベースの底面を覆うように平面状に形成されていることが好ましい。
【０００８】
第１の形態において、前記第１のタッチスイッチと前記第２のタッチスイッチとの間に接続され、前記第１のタッチスイッチ及び前記第２のタッチスイッチの切換信号を受信し、前記モータを正転又は逆転させる制御装置をさらに備えることが好ましい。
【０００９】
第１の形態において、前記駆動部材の両側部と、前記連動歯車及び前記把手部との間には凸部が設けられていることが好ましい。
【考案の効果】
【００１０】
本考案のモータ駆動の受動型伸張回復トレーニングマシーンは、以下（１）及び（２）の効果を有する。
（１）把手部が駆動部材のモータにより駆動され、連動歯車と鋸歯状凹凸部の歯部とを噛み合せて移動させると、精確に移動し、大きな圧力を受けることができる。保護カバーは、ベースを覆い、スライド口により駆動部材の移動方向を拘束することにより、駆動部材が側方で移動することを防ぎ、安定的に移動することができる。
（２）ベースが滑り止め部により地面に接触されているため、滑り止め効果を得て、伸張動作をベースの上端で行うため、地面で転がって滑ることを防ぎ、トレーニング動作の距離を制御することができる。
【図面の簡単な説明】
【００１１】
【図１】本考案の一実施形態によるトレーニングマシーンを示す斜視図である。
【図２】本考案の一実施形態によるトレーニングマシーンを示す分解斜視図である。
【図３】本考案の一実施形態によるトレーニングマシーンの把手部を示す断面図である。
【図４】本考案の一実施形態によるトレーニングマシーンの駆動部材が往復移動するときの状態を示す斜視図である。
【図５】本考案の一実施形態によるトレーニングマシーンの駆動部材が往復移動するときの状態を示す断面図である。
【図６】本考案の一実施形態によるトレーニングマシーンを使用するときの状態を示す模式図である。
【図７】本考案の一実施形態によるトレーニングマシーンを使用するときの状態を示す模式図である。
【図８】従来のトレーニングマシーンを示す断面図である。
【図９】従来のトレーニングマシーンを使用するときの状態を示す模式図である。
【考案を実施するための形態】
【００１２】
以下、本考案の実施形態について図面に基づいて説明する。なお、これによって本考案が限定されるものではない。
【００１３】
図１及び図２を参照する。図１及び図２に示すように、本考案の一実施形態によるモータ駆動の受動型伸張回復トレーニングマシーンは、ベース１０、駆動部材２０及び保護カバー３０を含む。ベース１０は、上面１２の両端に設けられ、互いに平行に配置された鋸歯状凹凸部１１を有する。上面１２の２つの長端には、第１のタッチスイッチ１３及び第２のタッチスイッチ１４がそれぞれ設けられている。第１のタッチスイッチ１３と第２のタッチスイッチ１４との間にはコントローラ１５が接続されている。コントローラ１５は、切換信号を受信し、ベース１０の底面１６の箇所に滑り止め部１７が設けられている。滑り止め部１７は、滑り止め効果を有するパッドであり、ベース１０の周囲に環設したり、ベース１０の底面１６を覆うように平面状に設けたりしてもよい。駆動部材２０は、内部に設けたモータ２１により両端に向かって延設され、回転軸２２が凸設され、両端に設けた回転軸２２に連動歯車２３が外嵌されている。駆動部材２０が有する回転軸２２の両端は延伸され、把手部２４が凸設されている。駆動部材２０の２つの側部には、連動歯車２３と把手部２４との間に凸設された凸部２７が設けられている。モータ２１には、駆動電力を供給する電源線２５が接続されている。把手部２４の箇所には、モータ２１の電源を制御するのに用いる制御スイッチ２６が設けられている。駆動部材２０の連動歯車２３は、鋸歯状凹凸部１１に噛み合わされる。保護カバー３０には、スライド口３１が設けられ、ベース１０の上面１２を覆い、スライド口３１から把手部２４が露出されている。把手部２４は、駆動部材２０に接続され、連動歯車２３が鋸歯状凹凸部１１に噛み合わされて水平移動し、第１のタッチスイッチ１３又は第２のタッチスイッチ１４に駆動部材２０が触れると、モータ２１が制御されて回転方向が変化し、トレーニングを補助することができる。
【００１４】
図２及び図３に示すように、ベース１０の上面１２の２つの長端には、第１のタッチスイッチ１３及び第２のタッチスイッチ１４がそれぞれ取り付けられている。ベース１０の２つの短軸方向の端部には、２つの鋸歯状凹凸部１１が互いに平行に配置されている。駆動部材２０のモータ２１は、回転軸２２に接続され、回転軸２２には連動歯車２３が外嵌されている。駆動部材２０は、ベース１０の上面１２に配置され、互いに平行に配置された２つの鋸歯状凹凸部１１に連動歯車２３を噛み合わせてから、ベース１０の上面１２を保護カバー３０で覆う。保護カバー３０のスライド口３１は、駆動部材２０の上端に設けられた凸部２７の上端を圧設することにより、駆動部材２０の連動歯車２３に保護カバー３０が触れることを防ぐことができる上、駆動部材２０の摺動可能範囲を拘束し、駆動部材２０へ把手部２４を固定し、保護カバー３０の外端に把手部２４を配置する。保護カバー３０は、スライド口３１に設けられた２つのストッパー（図示せず）の弾性を利用し、スライド口３１を覆い、駆動部材２０を摺動させて開く機能を得てもよい。
【００１５】
実際に使用する際は、図２、図４及び図５に示すように、制御スイッチ２６を押圧すると、駆動部材２０のモータ２１により回転軸２２が回転し、鋸歯状凹凸部１１上で連動歯車２３が回転する。即ち、鋸歯状凹凸部１１に沿って連動歯車２３が移動し、駆動部材２０により把手部２４が端部に向かって移動し、第１のタッチスイッチ１３に駆動部材２０が触れると、第１のタッチスイッチ１３に発生した切換信号がコントローラ１５に送信され、電子制御方式によりモータ２１の電流方向が切り換わる。これによりモータ２１の回転が反転し、駆動部材２０が他方の端部に移動する。駆動部材２０が第２のタッチスイッチ１４に触れると、モータ２１の電流方向が再び切り換わり、駆動部材２０の回転が反転する。このように、第１のタッチスイッチ１３及び第２のタッチスイッチ１４で制御することにより、駆動部材２０により把手部２４を往復させることができる。駆動部材２０の摺動動作を停止させる場合、制御スイッチ２６を押圧してモータ２１の電源を切断する。使用状態をさらに説明するため、まず、図６を参照する。図６に示すように、ベース１０は、地面に対して水平に配置し、滑り止め部１７により滑り止めの効果を得る際、ユーザは跪いて前屈みの姿勢をとり、両手で把手部２４を握ると、上半身を伸ばして腕、肩、胸及び腰のトレーニング効果を得ることができる。そのため、ユーザは、体を伸ばす際に加える力が少なくてすむため、トレーニングを容易に行うことができる。例えば、図７に示すように、本考案の他の実施形態として、椅子の背もたれの上端部にベース１０を結合させ、ユーザが椅子の上に座って両手を挙げ、駆動部材２０の両端に設けられた把手部２４を握って駆動部材２０を移動させると、両手が把手部２４により引っ張られ、上下方向へ身体を伸ばす動作を行うことができる。このように身体を伸ばす動作を行うことにより、手、肩及び背のトレーニング効果を得て、モータ２１によりトレーニングを補助することにより、トレーニングの難易度を下げることができる。
【００１６】
上述したことから分かるように、本考案のモータ駆動の受動型伸張回復トレーニングマシーンは、以下（１）及び（２）の効果を得ることができる。
（１）把手部２４は、駆動部材２０のモータ２１により駆動され、連動歯車２３と鋸歯状凹凸部１１の歯部とを噛み合せて移動させるため正確に移動することができるとともに、比較的大きな圧力に耐えることができる。また、保護カバー３０は、ベース１０を覆うために用い、スライド口３１により駆動部材２０が側方へ移動しないように移動方向を拘束することができるため、安定的に移動させてトレーニング効果を得ることができる。
（２）ベース１０は、滑り止め部１７により地面に接触されて滑り止め効果を得ることができるため、ベース１０の上端において伸張動作を行い、地面で転がったり滑ったりすることを防ぎ、トレーニング動作の距離を制御することができる。
【００１７】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１８】
１０  ベース
１１  鋸歯状凹凸部
１２  上面
１３  第１のタッチスイッチ
１４  第２のタッチスイッチ
１５  コントローラ
１６  底面
１７  滑り止め部
２０  駆動部材
２１  モータ
２２  回転軸
２３  連動歯車
２４  把手部
２５  電源線
２６  制御スイッチ
２７  凸部
３０  保護カバー
３１  スライド口
４０  台座
４１  収納孔
４２  ローラセット
４３  アイドルギヤ
５０  駆動装置
５１  モータ
５２  ベルト
６０  カバー
７０  把手部
５１１  歯車
【図１】
0003160795.tif 000003
【図２】
0003160795.tif 000004
【図３】
0003160795.tif 000005
【図４】
0003160795.tif 000006
【図５】
0003160795.tif 000007
【図６】
0003160795.tif 000008
【図７】
0003160795.tif 000009
【図８】
0003160795.tif 000010
【図９】
0003160795.tif 000011